(57)【特許請求の範囲】
【請求項１】
遊技球が流下する遊技領域が形成された盤面と、前記遊技領域の下方に設けられ遊技球を発射口から発射する発射装置と、前記盤面に設けられ前記発射口からの遊技球を入口から導入して前記遊技領域に導く案内通路と、この案内通路の入口と前記発射口との間に位置したファウル球回収部屋と、前記ファウル球回収部屋の前側の内壁面を形成しているカバー部材とを備え、
前記発射装置から発射された遊技球が、前記ファウル球回収部屋内を前記案内通路の入口に向かって通過した後に前記案内通路を通じて前記遊技領域に到達するか、前記遊技領域に到達せずにファウル球となり前記案内通路を逆行して前記ファウル球回収部屋に流下するパチンコ機において、
前記案内通路は、前記盤面に対し前方に起立して設けられ前記遊技領域から離れる方向に膨らんだ第１湾曲面と、この第１湾曲面よりも前記遊技領域から離れた位置で前記盤面に対し前方に起立して設けられ前記第１湾曲面と略平行に延びた第２湾曲面とを内壁面として有し、前記第１湾曲面は前記盤面に直交する直線に対して、前記第１湾曲面の前端が後端よりも前記第２湾曲面から離れる方向に傾斜した傾斜面であり、
前記カバー部材は、前記ファウル球回収部屋の前記前側の内壁面を成す個所に設けられ前後方向を凹凸の方向とする凹凸面を有し、この凹凸面が前記案内通路の入口を逆行して前記前面側の内壁面に衝突するファウル球を前記発射口以外の方向に弾く
ことを特徴とするパチンコ機。
【請求項２】
請求項１に記載のパチンコ機において、
前記発射口は前記ファウル球回収部屋の左右方向における一方側の内壁面にあけられ、
前記案内通路の入口は前記ファウル球回収部屋の左右方向における他方側の上部に設けられ、
前記カバー部材は、前記凹凸面よりも下方で後方に突出した鍔部を有し、この鍔部の上面には後方向において下り傾斜を成した球受け面が形成された
ことを特徴とするパチンコ機。
【請求項３】
請求項１または２に記載のパチンコ機において、
前記凹凸面は、後端を頂部とする山形の凸部が複数連続して並んで形成されたものであり、前記頂部は前記発射口側よりも前記案内通路の入口側に偏って位置する
ことを特徴とするパチンコ機。
【発明の詳細な説明】
【技術分野】
【０００１】
本発明は、遊技盤の盤面に設けられ遊技領域に遊技球を案内する案内通路と、この案内通路の入口に向けて遊技球を発射する発射装置と、案内通路の入口と発射装置の発射口とを間に設けられファウル球を回収するファウル球回収部屋とを備え、このファウル球回収部屋の前側の内壁面が、ファウル球回収部屋の前側を開閉可能にするカバー部材により形成されたパチンコ機に関する。
【背景技術】
【０００２】
パチンコ機は、前面の側下部に回動可能に設けられたハンドルと、打撃槌で遊技球を打撃して発射口から発射させる発射装置とを備えている。発射装置は、ハンドルの回動量に応じた打撃力で遊技球を打撃する。発射装置から発射された遊技球は、遊技盤に設けられた案内通路を通じて遊技領域に到達するか、遊技領域に到達せずファウル球となる。ファウル球は回収されて受け皿に排出されるようになっている。
【０００３】
ファウル球を回収する手段として、案内通路の入口と発射装置の発射口と間にファウル球回収部屋が設けられている。つまり、発射装置から発射された遊技球は、ファウル球回収部屋を案内通路の入口に向かって通過した後に案内通路を通じて遊技領域に到達するか、遊技領域に到達せずにファウル球となり案内通路を逆行してファウル球回収部屋に流下する。ファウル球回収部屋は排出通路を介して受け皿と連通しており、これによって、ファウル球回収部屋から受け皿に遊技球が排出される。
【０００４】
ファウル球回収部屋の前側の内壁面は、カバー部材により形成されている。このカバー部材は、ファウル球回収部屋の前側を開閉可能にするために設けられている。ファウル球回収部屋内で遊技球の滞留などの異常が生じた場合、カバー部材を回動または取り外すことによってファウル球回収部屋の前側を開放し、その異常を解消するための処置が行われる。
【先行技術文献】
【特許文献】
【０００５】
【特許文献１】特開２００６−１９８１９０公報
【発明の概要】
【発明が解決しようとする課題】
【０００６】
ところで、案内通路は、遊技領域が設けられた盤面に対し前方に起立して設けられ遊技領域から離れる方向に膨らんだ第１湾曲面と、この第１湾曲面よりも遊技領域から離れた位置で盤面に対し前方に起立して設けられ第１湾曲面と略平行に延びた第２湾曲面とを内壁面として有する。
【０００７】
第１湾曲面は、樹脂成形により製造された成形品の一部である。その成形品を金型から離脱させるための設計上の形状の制限から、第１湾曲面は、盤面に直交する直線に対して、第１湾曲面の前端が後端よりも第２湾曲面から離れる方向に傾斜した傾斜面となっている。このため、ファウル球の速度には前方向の成分が含まれることがあり、この前方向の成分によってファウル球はカバー部材に衝突することがある。カバー部材にファウル球が衝突すると、ファウル球はカバー部材に弾かれる角度によって発射装置の発射口に入ってしまうことがある。
【０００８】
発射口にファウル球が入った場合、そのファウル球が発射口にファウル球が入る前に別の遊技球が発射装置に装填されていると、打撃前の別の遊技球にファウル球が重なった状態となったり、打撃後の別の遊技球にファウル球が衝突したりする。このため、遊技者が遊技球に与える打撃力をハンドルの操作により所望の打撃力に設定しても、その所望の打撃力に相応する勢いで遊技球を発射させることができず、遊技に支障をきたすことになる。また、ファウル球が重なった状態での別の遊技球の打撃は、打撃槌への負担が大きいことから、打撃槌の変形や磨耗などの発射装置の故障を招きやすい。
【０００９】
本発明は前述の事情を考慮してなされたものであり、その目的は、遊技球の発射口にファウル球が入りにくくすることができるパチンコ機を提供することにある。
【課題を解決するための手段】
【００１０】
前述の目的を達成するために本発明に係るパチンコ機は次のように構成されている。
【００１１】
〔１〕  本発明に係るパチンコ機は、遊技球が流下する遊技領域が形成された盤面と、前記遊技領域の下方に設けられ遊技球を発射口から発射する発射装置と、前記盤面に設けられ前記発射口からの遊技球を入口から導入して前記遊技領域に導く案内通路と、この案内通路の入口と前記発射口との間に位置したファウル球回収部屋と、前記ファウル球回収部屋の前側の内壁面を形成しているカバー部材とを備え、前記発射装置から発射された遊技球が、前記ファウル球回収部屋内を前記案内通路の入口に向かって通過した後に前記案内通路を通じて前記遊技領域に到達するか、前記遊技領域に到達せずにファウル球となり前記案内通路を逆行して前記ファウル球回収部屋に流下するパチンコ機において、前記案内通路は、前記盤面に対し前方に起立して設けられ前記遊技領域から離れる方向に膨らんだ第１湾曲面と、この第１湾曲面よりも前記遊技領域から離れた位置で前記盤面に対し前方に起立して設けられ前記第１湾曲面と略平行に延びた第２湾曲面とを内壁面として有し、前記第１湾曲面は前記盤面に直交する直線に対して、前記第１湾曲面の前端が後端よりも前記第２湾曲面から離れる方向に傾斜した傾斜面であり、前記カバー部材は、前記ファウル球回収部屋の前記前側の内壁面を成す個所に設けられ前後方向を凹凸の方向とする凹凸面を有し、この凹凸面が前記案内通路の入口を逆行して前記前面側の内壁面に衝突するファウル球を前記発射口以外の方向に弾くことを特徴とする。
【００１２】
この「〔１〕」に記載のパチンコ機において、カバー部材はファウル球回収部屋の前面側の内壁面を成し、ファウル球を凹凸面で弾く。凹凸面中の凸形部分は後方に突起したものであり、この凸形部分でファウル球が弾かれることによって、ファウル球の速度成分には、平面でファウル球が弾かれる場合よりも大きな後方向の成分を与えることができる。これによって、ファウル球回収部屋の前側の内壁面に衝突したファウル球を発射口以外の方向に弾くことができる。つまり、発射口にファウル球が入りにくくすることができる。
【００１３】
〔２〕  本発明に係るパチンコ機は、「〔１〕」に記載のパチンコ機において、前記発射口は前記ファウル球回収部屋の左右方向における一方側の内壁面にあけられ、前記案内通路の入口は前記ファウル球回収部屋の左右方向における他方側の上部に設けられ、前記カバー部材は、前記凹凸面よりも下方で後方に突出した鍔部を有し、この鍔部の上面には後方向において下り傾斜を成した球受け面が形成されたことを特徴とする。
【００１４】
パチンコ機には、発射装置がパチンコ機の下部の左右方向における略中央、または中央よりも左右方向における一方側寄りに設けられており、案内通路が盤面の左右方向における他方側に設けられているものがある。この場合、「〔２〕」に記載のパチンコ機のように、発射口はファウル球回収部屋の左右方向における一方側の内壁面にあけられたものとなり、案内通路の入口はファウル球回収部屋の左右方向における他方側の上部に設けられたものとなる。これにより、ファウル球は、左右方向における一方の方向と下方向とを速度成分として有した状態で、ファウル球回収部屋の左右方向における他方側の上部から、ファウル球回収部屋内に流下する。ファウル球回収部屋内において、ファウル球が鍔部の球受け面に衝突すると、この球受け面は後方向において下り傾斜を成しているので、ファウル球をこの速度に後方向の成分を含ませて発射口以外の方向に弾くことができる。これによって、発射口の下方から他方側にファウル球回収部屋の下面が広がっている場合に、その下面にファウル球が弾かれて発射口に入ることを防止できる。
【００１５】
〔３〕  本発明に係るパチンコ機は、「〔１〕」または「〔２〕」に記載のパチンコ機において、前記凹凸面は、後端を頂部とする山形の凸部が複数連続して並んで形成されたものであり、前記頂部は前記発射口側よりも前記案内通路の入口側に偏って位置することを特徴とする。
【００１６】
この「〔３〕」に記載のパチンコ機において、凹凸面は後端を頂部とする山形の凸部が複数連続して並んで形成されたものであるので、ファウル球から凹凸面に与えられる衝突時の衝撃は主に、凸部の頂部から案内通路の入口側の部分に与えられる。このことに加え、凸部の頂部が発射口側よりも案内通路の入口側に偏って位置する、すなわち、凸部において頂部から発射口側の長さ寸法が頂部から案内通路の入口側の長さ寸法よりも長い。これらによって、ファウル球から凸部に衝撃が与えられたとき、凸部の頂部から案内通路の入口側の部分を、頂部よりも発射口側の部分で強固に支持することができる。したがって、強度を確保しやすい凹凸面を実現できる。
【発明の効果】
【００１７】
本発明に係るパチンコ機は、前述のように遊技球の発射口にファウル球が入りにくくすることができる。これによって、遊技球が所望の勢いで発射されなかったことに起因して遊技に支障をきたすことを低減できる。また、発射口にファウル球が入ったことに起因する発射装置の故障を低減することもできる。
【図面の簡単な説明】
【００１８】
【図１】本発明の一実施形態に係るパチンコ機を斜め前方から見た斜視図である。
【図２】図１に示したパチンコ機から前面扉を取り除いた状態の前面図である。
【図３】図２に示したパチンコ機からカバー部材を取り除いた状態の前面図である。
【図４】図３のIV部拡大図である。
【図５】図２のV−V断面図である。
【図６】図２に示したカバー部材の拡大３面図であり、（ａ）は前面図、（ｂ）は上面図、（ｃ）は右側面図である。
【図７】図６に示したカバー部材の背面図である。
【図８】ファウル球回収部屋を図２のVIII−VIII切断面で切断し、案内通路側の後斜め上方から見た状態の拡大斜視図である。
【図９】図６（ｂ）のIX部拡大図である。
【図１０】図８に示した凹凸面にファウル球が衝突した場合のファウル球の軌跡の一例を示す図である。
【図１１】図８に示した鍔部にファウル球が衝突した場合のファウル球の軌跡の一例を示す図である。
【発明を実施するための形態】
【００１９】
本発明の一実施形態に係るパチンコ機について図１〜図１１を用いて説明する。パチンコ機の左右方向を、パチンコ機に対面する遊技者の左右方向として説明している。
【００２０】
図１に示すように、本実施形態に係るパチンコ機１は左右方向よりも上下方向に長い長方形状に形成された外枠２と、この外枠２の左側部に開き戸状に回動可能に取り付けられた前面扉３とを備えている。前面扉３には透明窓４が設けられている。前面扉３の透明窓４の下方には、遊技球を収容する受け皿５と、遊技球の発射強度を指令するためのハンドル６とが、前方に突出して設けられている。前面扉３の左上部および右上部のそれぞれには、スピーカ７，８のそれぞれが取り付けられている。また、前面扉３の左下方にはスピーカ７，８よりも大きなスピーカ９が設けられている。このスピーカ９は前面扉３とは別体である。
【００２１】
図２に示すように、外枠２の内側には遊技盤１０が設けられている。この遊技盤１０の前面側の盤面１１には、遊技球が流下する略楕円形の遊技領域１２が設けられている。この遊技領域１２は前面扉３の透明窓４を透かして見えるものである。遊技領域１２には、特別図柄を表示する特別図柄表示装置、普通図柄を表示する普通図柄表示装置が設けられている（図示してない）。遊技領域１２の略中央には液晶表示装置を視認可能にする視認窓が設けられており、その視認窓の周囲には可動役物装置が設けられている（図示してない）。液晶表示装置は特別図柄に係る電子抽選を演出するための画面を表示するものであり、可動役物装置は構造物を機構により動作させることで、特別図柄に係る電子抽選を演出するものである。これらの表示装置の他に、遊技領域１２には、遊技球の入賞によって特別図柄に係る電子抽選の契機を生じさせる可動始動口装置（電動チューリップ）、遊技球の入賞によって可動始動口装置が始動口を開放する契機を生じさせるスルーチャッカ、一般入賞口、遊技釘、羽根車なども設けられている（いずれも図示してない）。
【００２２】
図２，図３を参照して分かるように、遊技領域１２の下方でパチンコ機１の下部中央には、遊技球を発射口２２ａから発射する発射装置２０が設けられている。発射装置２０は、遊技球を打撃する打撃槌（図示してない）を、ソレノイド（図示してない）で駆動する打撃装置２１と、この打撃装置により打撃された遊技球の軌道を安定させて発射口２２ａから排出する発射通路２２とを有する。打撃装置２１は、外枠２に対し固定して設けられた合成樹脂製のベース部材１３に固定されている。発射通路２２は、ベース部材１３に形成された上下方向の断面形状がコ字形の溝である。
【００２３】
遊技領域１２の左側方には案内通路３０が設けられている。この案内通路３０は遊技領域１２から離れる方向すなわち左方向に膨らんで湾曲しており、発射口２２ａからの遊技球を入口３０ａから導入して遊技領域１２に導くものである。この案内通路３０の入口３０ａと発射装置２０の発射口２２ａとの間には、ファウル球回収部屋４０が設けられている。発射装置２０の発射口２２ａはファウル球回収部屋４０の左側の内壁面にあけられ、案内通路３０の入口３０ａはファウル球回収部屋４０の右側の上部に設けられている。
【００２４】
ファウル球回収部屋４０は、前側で開口し後方への奥行きを有してベース部材１３に区画形成された凹部４１が、ベース部材１３に取り付けられたカバー部材５０により覆われて成る。したがってカバー部材５０は、ファウル球回収部屋４０の前側の内壁面を形成していることになる。カバー部材５０の左端部はベース部材１３に対し回動可能に結合しており、カバー部材５０の右端部は、ベース部材１３に対し係脱可能になっている。カバー部材５０は、ファウル球回収部屋４０の前側を開閉可能にするために設けられたものであり、ファウル球回収部屋４０内で遊技球の滞留などの異常が生じた場合、カバー部材５０を前方に回動させてファウル球回収部屋４０の前側を開放し、その異常を解消するための処置が行われる。
【００２５】
図２，図５を参照して分かるように、案内通路３０は、盤面１１に対し前方に起立して設けられ遊技領域１２から離れる方向（左方向）に膨らんだ第１湾曲面３１と、この第１湾曲面３１よりも遊技領域１２から離れた位置で盤面１１に対し前方に起立して設けられ第１湾曲面３１と略平行に延びた第２湾曲面３２とを内壁面として有する。第１湾曲面３１は樹脂成形により製造された成形品の一部である。その成形品を金型から離脱させるための設計上の形状の制限から、第１湾曲面３１は、図５に示すように、盤面１１に直交する直線１００（１点差線で示す補助線）に対して、第１湾曲面３１の前端が後端よりも第２湾曲面３２から離れる方向に角度θだけ傾斜した傾斜面である。図５中、２点差線の直線１０１は第１湾曲面３１と平行な方向に延びた補助線であり、直線１００に対し角度θで交わっている。なお、図示してないが、盤面１１は水平面に対し前方に倒れる方向に傾斜している。
【００２６】
図４に示すように、発射装置２０の発射口２２ａから発射された遊技球は、ファウル球回収部屋４０内を案内通路３０の入口３０ａに向かって、矢印Ｓで示すように直線的に通過する。その後、案内通路３０を通じて遊技領域１２に到達するか、遊技領域１２に到達せずにファウル球となり案内通路３０を逆行してファウル球回収部屋４０に流下する。ファウル球回収部屋４０の奥端面の左下部には排出口６０があいており、この排出口６０の下辺から発射口２２ａの下方に亘ってファウル球回収部屋４０の下面６１が形成されている。この下面６１は発射口２２ａ側から排出口６０に向かって下り傾斜を成している。発射口２２ａは下面６１と段差部６３を隔てて下面６１よりも高く位置し、これによって、下面６１を転がり上がってきたファウル球が発射口２２ａに入るのを防止する。図４中のＢ１〜Ｂ４は案内通路３０を逆行してファウル球回収部屋４０に流下してきたファウル球である。案内通路３０の入口３０ａと下面６１の間には、略階段状の緩衝部６３が設けられている。この緩衝部６３は第１緩衝面６３ａおよび第２緩衝面６３ｂの少なくとも一方によりファウル球の勢いを弱らせるものである。排出口６０は排出通路（図示してない）を介して受け皿５と連通しており、その排出通路を通じてファウル球がファウル球回収部屋４０から受け皿に排出される。
【００２７】
図６〜図８を参照して分かるように、カバー部材５０は、ファウル球回収部屋４０の前側の内壁面を成す個所に設けられ前後方向を凹凸の方向とする凹凸面５１を有する。この凹凸面は、後端を頂部とする山形の凸部５２（図６（ｂ）参照）が複数設けられて成る。図８に示すように凸部５２の頂部５２ａは上下方向に延びている。また、図９中の２点差線の３角形を参照して分かるように、発射口２２ａ側（右側）よりも案内通路３０の入口３０ａ側（左側）に偏って位置する。本実施形態において、凸部５２の山形は、左右方向における断面形状が、上下方向のどの位置においても略同じ略直角三角形状を成すものである。その略直角三角形において、略直角に交わる隣辺１１０，１１１の長さが異なっており、長い方の隣辺１１０は前側に位置し、短い方の隣辺１１１は左側、すなわち案内通路３０の入口３０ａ側に位置する。図７に示すように、凸部５２は、左右方向に６つ連続して直線状に並び、上面視においてノコギリ歯状に並んで列５３を成している。この列５３は上下方向に４列平行に並んで設けられている。さらに、この列５３の右端は、後方に起立した起立面６４の前端部と連続している。この起立面６４は発射口２２ａの前方に位置する。カバー部材５０は起立面６４の後端から右方向に広がった平面部６５を有し、この平面部６５は発射通路２２の発射口２２ａから右側の範囲の一部を覆っている。列５３の左端面の後方への突出寸法Ｌ１、列５３の後端からの起立面６４の突出寸法Ｌ２、および、すべての凸部５２の後方への突出寸法Ｌ３は、いずれも遊技球の半径寸法よりも短く設定されている。また、すべての凸部５２の頂部５２ａは、発射口２２ａ（平面部６５）よりも前方に位置する。
【００２８】
また、カバー部材５０は、凹凸面５１よりも下方で後方に突出した鍔部５４を有する。この鍔部５４の上面は、左方向（図７では右方向）において下り傾斜を成している。さらに、鍔部５４の上面には、後方向において下り傾斜を成した球受け面５５（図６（ｃ）参照）が形成されている。
【００２９】
このように構成された本実施形態に係るパチンコ機１において、遊技球は次のように挙動する。
【００３０】
発射装置２０の発射口２２ａから発射された遊技球は、図４に示すように案内通路３０の入口３０ａに入り、その後、案内通路３０の第２湾曲面３２に案内されて遊技領域１２に到達するか、遊技領域１２に到達せずにファウル球となり案内通路３０を逆行してファウル球回収部屋に流下する。発射口２２ａがファウル球回収部屋４０の左側の内壁面にあけられ、案内通路３０の入口３０ａがファウル球回収部屋４０の左上部に設けられるので、ファウル球は、このファウル球が案内通路を逆行してファウル球回収部屋４０に流入したとき、速度成分として右下方向の成分を含む。
【００３１】
案内通路３０の左側に最も膨らんだ位置よりも上方において、案内通路３０は右方向に曲がっており、第１湾曲面３１が図５に示したように盤面１１に直交する直線１００に対し傾斜しているため、案内通路３０の上部で発生したファウル球は第１湾曲面３１により前方に案内され、これによってそのファウル球の速度には、前方向の成分が含まれることがある。ファウル球の速度に前方向の成分が含まれていると、ファウル球はファウル球回収部屋４０の前側の内側面、すなわちカバー部材５０の凹凸面５１に衝突しやすくなる。
【００３２】
ファウル球が凹凸面５１に衝突すると、この凹凸面５１はファウル球を弾く。凹凸面５１中の凸部５２は後方に突起したものであるので、この凸部５２でファウル球が弾かれると、平面でファウル球が弾かれた場合よりも大きな後方向の速度成分をファウル球に与えることができる。これによってファウル球は、例えば図１０に２点鎖線で示すファウル球Ｂ５のように発射口２２ａ以外の方向に弾かれる。
【００３３】
また、ファウル球がカバー部材５０の凹凸面５１よりも後方向に流下した場合、そのファウル球はカバー部材５０の鍔部５４に衝突して弾かれる。鍔部５４の上面には後方向において下り傾斜の球受け面５５があるので、ファウル球の衝突個所が球受け面５５上であれば、ファウル球の速度に後方向の速度成分を生じさせることができる。これによってファウル球は、例えば図１１に２点差で示すファウル球Ｂ６のように、発射口２２ａ以外の方向に弾かれる。
【００３４】
本実施形態に係るパチンコ機１によれば次の効果を得られる。
【００３５】
本実施形態に係るパチンコ機１において、カバー部材５０はファウル球回収部屋４０の前面側の内壁面を成し、ファウル球を凹凸面５１で弾く。凹凸面５１中の凸部５２は後方に突起したものであり、この凸部５２でファウル球を弾くことによって、ファウル球の速度成分に、平面でファウル球が弾かれる場合よりも大きな後方向の成分を与えることができる。これによって、ファウル球回収部屋４０の前側の内壁面に衝突したファウル球を発射口２２ａ以外の方向に弾くことができる。つまり、発射口２２ａにファウル球が入りにくくすることができる。したがって、遊技球が所望の勢いで発射されなかったことに起因して遊技に支障をきたすことを低減できる。また、発射口２２ａにファウル球が入ったことに起因する発射装置２０の故障を低減することもできる。
【００３６】
本実施形態に係るパチンコ機１において、凹凸面５１よりも後方に流下してきたファウル球を、鍔部５４の球受け面５５で後方に弾くことができ、これによってファウル球が下面６１に弾かれて発射口２２ａに入るのを防止するこができる。
【００３７】
本実施形態に係るパチンコ機１において、凹凸面５１は後端を頂部とする山形の凸部５２が複数連続して並んで形成されたものであるので、ファウル球から凹凸面５１に与えられる衝突時の衝撃は主に、凸部５２の頂部５２ａから案内通路３０の入口３０ａ側の面に与えられる。このことに加え、凸部５２の頂部５２ａが発射口２２ａ側よりも案内通路３０の入口３０ａ側に偏って位置する、すなわち、凸部５２において頂部５２ａから発射口２２ａ側の長さ寸法（短い方の隣辺１１１の寸法）が頂部５２ａから案内通路３０の入口３０ａ側の長さ寸法（長い方の隣辺１１０の寸法）よりも長い。これらによって、ファウル球から凸部５２に衝撃が与えられたとき、凸部５２の頂部５２ａから案内通路３０の入口３０ａ側の部分を、頂部５２ａよりも発射口２２ａ側の部分で強固に支持することができる。したがって、強度を確保しやすい凹凸面を実現できる。
【符号の説明】
【００３８】
１  パチンコ機
１０  遊技盤
１１  盤面
１２  遊技領域
２０  発射装置
２２ａ  発射口
３０  案内通路
３０ａ  入口
３１  第１湾曲面
３２  第２湾曲面
４０  ファウル球回収部屋
４１  凹部
５０  カバー部材
５１  凹凸面
５２  凸部
５２ａ  頂部
５３  列
５４  鍔部
５５  球受け面
６０  排出口
６１  下面
１００，１０１  直線
１１０，１１１  隣辺
【図１】
0005427635.tif 000002
【図２】
0005427635.tif 000003
【図３】
0005427635.tif 000004
【図４】
0005427635.tif 000005
【図５】
0005427635.tif 000006
【図６】
0005427635.tif 000007
【図７】
0005427635.tif 000008
【図８】
0005427635.tif 000009
【図９】
0005427635.tif 000010
【図１０】
0005427635.tif 000011
【図１１】
0005427635.tif 000012